(57)【特許請求の範囲】
【請求項１】
前片（１）と、上片（２）と、後片（３）と、底片（４）と、弾性テープ（５）と、芯体（６）と、左片（７）と、右片とを含み、その前片（１）の一方側辺及び上片（２）の一方側辺と、上片（２）の他方側辺及び後片（３）の一方側辺と、後片（３）の他方側辺及び底片（４）の一方側辺と、底片（４）の他方側辺及び前片（１）の他方側辺とが、それぞれ縫着接続され筒状空洞体に構成され、前記筒状空洞体と芯体（６）とが嵌着接続され、前記前片（１）、上片（２）、後片（３）及び底片（４）の左側辺が左片（７）に、後片（３）及び底片（４）の右側辺が右片にそれぞれ縫着接続され、前記後片（３）底端の左側辺及び底片（４）上端の左側辺が弾性テープ（５）の左端に、前記後片（３）底端の右側辺及び底片（４）上端の右側辺が弾性テープ（５）の右端にそれぞれ縫着接続される車載用頚椎保護具であって、
（１）  前記芯体（６）は、ウレタンフォーム材料、低リバウンド材質の海綿材料、高リバウンド材質の海綿材料、普通海綿材料、中空綿、ポリエステル綿材料のいずれか一つから選択され、
（２）  前記芯体（６）には頚椎に対して保健や治療の作用が働くように保健薬液が浸漬され、前記保健薬液は透骨草、伸筋草、艾葉、紅花、生姜片が混合、煮込み、濾過された濾過液であり、
（３）  前記前片（１）、上片（２）、後片（３）、底片（４）、左片（７）、右片はいずれも真皮材料、革材料、布材料、亜麻材料のいずれか一つから選択され、前記前片（１）、上片（２）、後片（３）、底片（４）、左片（７）、右片はいずれもローズ精油材料、ジャスミン精油香料、ラベンダー精油材料が吹き付けられた香料のいずれか一つから選択され、
（４）  前記後片（３）の上端及び上片（２）の上端はともに上へ７〜１０ｃｍ延在するとともに左片（７）の上端及び右片の上端はともに上へ延在し、前記前片（１）の下端及び底片（４）の下端はともに下へ１１〜１５ｃｍ延在するとともに左片（７）の下端及び右片の下端はともに下へ延在し、前記前片（１）、上片（２）、後片（３）、底片（４）、左片（７）、右片は、縫着接続され前記筒状空洞体が長形化空洞体に構成され、前記芯体（６）及び前記長形化空洞体は互いに合致するように対応し、
（５）  前記芯体（６）及び前記長形化空洞体の上端はともに両側が上へ湾曲した円弧形状となっており、厚さが１．５〜２．０ｃｍであり、下端はともに両側が下へ湾曲した円弧形状となっており、厚さが２．５〜３．５ｃｍであり、
（６）  前記芯体（６）及び前記長形化空洞体は、縦方向長さが３７〜４６ｃｍであり、横方向幅が２９〜３５ｃｍであり、その主体の厚さが９〜１２ｃｍであり、前記主体の上及び下への延在部分の厚さが薄くなるにつれて徐々に延在し、
（７）  前記芯体（６）には１層の竹炭素繊維パッド、遠赤外線照射によって処理された遠赤外線布、負酸素イオンによって処理された負酸素イオン布のいずれか一つが選択的に付着設置され、
（８）  前記長形化空洞体内には前記長形化空洞体に対応する支架部材が設けられ、
（９）  前記弾性テープ（５）は、縦方向締結テープ、横方向締結テープ、縦方向締結テープと横方向締結テープとの組み合わせ締結テープ、ヘッド覆い固定カバー、自動車クッション枕のいずれかひとつから選択され、
（１０）  前記車載用頚椎保護具と自動車座席シート及びクッション枕との間の固定は下記の５種の固定方法のいずれか一つから選択され、
Ａ．縦方向固定：前記縦方向締結テープは、帯状構造の上締結テープ及び帯状構造の下締結テープからなり、前記上締結テープの一端及び前記延在された後片（３）上端中部と、前記下締結テープの一端及び前記後片（３）下端中部とが、それぞれ縫着接続され、前記上締結テープの他端及び下締結テープの他端は、ナイロンロックバックル、押しバックル、親子バックル、腰テープバックル、フックのいずれか一つの接続で前記上締結テープ、及び、前記下締結テープにより前記車載用頚椎保護具を自動車座席シートとクッション枕との間に固定させ、
Ｂ．横方向固定：前記横方向締結テープは、帯状構造の２つの左締結テープ及び帯状構造の２つの右締結テープからなり、前記２つの左締結テープの一端は前記後片（３）左側の下端及び上端に、前記２つの右締結テープの一端は前記後片（３）右側の下端及び上端にそれぞれ縫着接続され、前記左締結テープの他端及び右締結テープの他端は、ナイロンロックバックル、押しバックル、親子バックル、腰テープバックル、フックのいずれか一つの接続で前記左締結テープ、及び、右締結テープにより前記車載用頚椎保護具を自動車座席シートとクッション枕との間に固定させ、
Ｃ．縦方向と横方向との組み合わせ固定：前記縦方向締結テープと横方向締結テープとの組み合わせにより前記車載用頚椎保護具を自動車座席シートとクッション枕との間に固定させ、
Ｄ．ヘッド覆い固定：自動車クッション枕形状と合致するように袋状のヘッド覆い固定カバーに製造され、開口が下へ向けるように前記後片（３）に縫着され、前記ヘッド覆い固定カバーを自動車クッション枕に嵌着接続させることにより前記車載用頚椎保護具を自動車座席シートとクッション枕との間に固定させ、
Ｅ．自動車クッション枕との一体的固定：対応する自動車クッション枕を製造し、前記対応する自動車クッション枕を前記車載用頚椎保護具と一体的に設けることで自動車の本来の自動車クッション枕に取って代わることにより、対応する自動車クッション枕を有する車載用頚椎保護具を自動車座席シートとクッション枕との間に固定させる、
ことを特徴とする車載用頚椎保護具。
【請求項２】
前記前片（１）、上片（２）、後片（３）、底片（４）、左片（７）、右片は、いずれも片状構造であり、前記芯体（６）は、その断面が平行四角形に近似した柔軟柱状体構造であることを特徴とする請求項１に記載の車載用頚椎保護具。
【請求項３】
前記前片（１）の左側辺及び右側辺の長さは後片（３）の左側辺及び右側辺の長さよりも大きく、前記上片（２）の左側辺及び右側辺の長さは、底片（４）の左側辺及び右側辺の長さよりも大きいことを特徴とする請求項１に記載の車載用頚椎保護具。
【請求項４】
前記前片（１）及び上片（２）は一つの部材として一体的に構成可能であることを特徴とする請求項１に記載の車載用頚椎保護具。
【請求項５】
前記前片（１）、上片（２）、後片（３）、底片（４）によって構成された筒状空洞体は、前記芯体（６）の柔軟柱状体に対応することを特徴とする請求項１ないし４のいずれか１項に記載の車載用頚椎保護具。
【発明の詳細な説明】
【技術分野】
【０００１】
本発明は、自動車座席シート用品の技術分野に係る車載用頚椎保護具に関し、特に保健性、快適性、安全性、利便性等の機能を同時に有する頚椎保護具の技術分野に係る車載用頚椎保護具に関するものである。
【背景技術】
【０００２】
現在、自動車運転室の座席シートには車載用頚椎保護具がないため、車両運転の過程において快適性が不足し、頚椎が硬直し筋肉痛になり、車に追突され頚椎が損傷するといった欠陥や弊害が存在している。このため、出願人である発明者の専門知識や仕事の経験及び事業に対する絶えない追求を元に、発明者が２０１０年１０月１３日に「人工力学車載用頚椎保護具」を実用新案出願第２０１０２０５５８２０３．Ｘ号として出願し、特許が登録された。しかしながら、上述した実用新案の検証応用には、形状にしても適用効果にしてもまだ足りない部分があり、本発明は、上述した実用新案及び車両の実際状況を基に調査、理解、整理、分析、研究を行い、「人工力学に適した生理的曲線」というキー技術を採用して、上述した実用新案に対して画期的な技術改良を行って完成したものである。
【先行技術文献】
【特許文献】
【０００３】
【特許文献１】中華人民共和国  実用新案出願第２０１０２０５５８２０３．Ｘ号
【発明の概要】
【発明が解決しようとする課題】
【０００４】
そこで、本発明は、「人工力学に適した生理的曲線」というキー技術を採用して、上述した実用新案を基に、芯体及び長形化ャンバーの材料を複数選択するとともにこれらの二者を形状や寸法が合致するように科学的に確定し、芯体には頚椎に対して保健や治療の作用が働くように保健薬液が浸漬されたり、全体に香料が吹き付けられたり、竹炭素繊維パッドや遠赤外線布又は負酸素イオン布が付着され、長形化空洞体内には支架部材が設けられ、自動車上の座席シートとクッション枕との間の固定には、縦方向固定、横方向固定、縦方向と横方向との組み合わせ固定、ヘッド覆い固定、自動車クッション枕固定等、複数の方式が選択される。
【０００５】
本発明に係る車載用頚椎保護具によれば、下記の目的を達成することができる。即ち、（１）「人工力学に適した生理的曲線」というキー技術を採用することにより、既存の特許の技術レベルを向上させ、「車載用頚椎保護具」に係る新製品を運転者へのサービスのために運転のよいパートナーとして提供すること、（２）本発明に係る車載用頚椎保護具を座席シート上端とクッション枕との間に取り付けることにより、取り付け方が多様化するようになり、各種の車種に適用でき、取り付け使用や清潔維持がともに便利になること、（３）運転者が運転過程における運転心地がよく、頚椎が硬直し筋肉痛することなく、保健作用が顕著となり、追突に遭遇しても頚椎に対する保護作用が働くこと、（４）全体に香料が吹き付けられることにより運転者が香りのいい運転雰囲気において心身ともにリラックスすること、（５）芯体に保健薬液が浸漬されることにより頚椎に対して保健や治療の作用が働くこと、（６）芯体に竹炭素繊維パッド（竹炭素繊維パッドには吸湿、異臭除去、駆虫、空気品質変換等の作用がある）や遠赤外線布又は負酸素イオン布（これらの二者はともに空気品質を変換可能な作用を有する）が付着設置されることにより、運転室の空気品質を改善し向上させることで、運転者が運転過程においてより快適になること、（７）研究試験を繰り返して行った結果、「車載用頚椎保護具」の形状、長さ・幅・深さ等の寸法に対して確定を行うことにより、デザインが科学的に合理的になり、構造が簡単且つ巧妙となり、使用がより迅速且つ便利になり、効果が安定になること、（８）製造材料の選択肢が多く、材料消費が減少され、製造が容易化され、手間が節約され、コストが低減されること、（９）プロモーション応用の推進に有利になること。
【課題を解決するための手段】
【０００６】
そこで、上述した目的を達成するために、本発明は、前片と、上片と、後片と、底片と、弾性テープと、芯体と、左片と、右片とを含み、その前片の一方側辺及び上片の一方側辺と、上片の他方側辺及び後片の一方側辺と、後片の他方側辺及び底片の一方側辺と、底片の他方側辺及び前片の他方側辺とが、それぞれ縫着接続され筒状空洞体に構成され、前記筒状空洞体と芯体とが嵌着接続され、前記前片、上片、後片及び底片の左側辺が左片に、後片及び底片の右側辺が右片にそれぞれ縫着接続され、前記後片底端の左側辺及び底片上端の左側辺が弾性テープの左端に、前記後片底端の右側辺及び底片上端の右側辺が弾性テープの右端にそれぞれ縫着接続される車載用頚椎保護具であって、
【０００７】
（１）前記芯体は、ウレタンフォーム材料、低リバウンド材質の海綿材料、高リバウンド材質の海綿材料、普通海綿材料、中空綿、ポリエステル綿材料のいずれか一つから選択され、
（２）前記芯体には頚椎に対して保健や治療の作用が働くように保健薬液が浸漬され、前記保健薬液は透骨草１５ｇ、伸筋草１５ｇ、艾葉１０ｇ、紅花５ｇ、生姜片１０ｇが混合、煮込み、濾過された濾過液であり、
（３）前記前片、上片、後片、底片、左片、右片はいずれも真皮材料、革材料、布材料、亜麻材料のいずれか一つから選択され、前記前片、上片、後片、底片、左片、右片はいずれもローズ精油材料、ジャスミン精油香料、ラベンダー精油材料が吹き付けられた香料のいずれか一つから選択され、
（４）前記後片の上端及び上片の上端はともに上へ７〜１０ｃｍ延在するとともに左片の上端及び右片の上端はともに上へ延在し、前記前片の下端及び底片の下端はともに下へ１１〜１５ｃｍ延在するとともに左片の下端及び右片の下端はともに下へ延在し、前記前片、上片、後片、底片、左片、右片は、縫着接続され前記筒状空洞体が長形化空洞体に構成され、前記芯体及び前記長形化空洞体は互いに合致するように対応し、
（５）前記芯体及び前記長形化空洞体の上端はともに両側が上へ湾曲した円弧形状となっており、厚さが１．５〜２．０ｃｍであり、下端はともに両側が下へ湾曲した円弧形状となっており、厚さが２．５〜３．５ｃｍであり、
（６）前記芯体及び前記長形化空洞体は、縦方向長さが３７〜４６ｃｍであり、横方向幅が２９〜３５ｃｍであり、その主体の厚さが９〜１２ｃｍであり、前記主体の上及び下への延在部分の厚さが薄くなるにつれて徐々に延在し、
（７）前記芯体には１層の竹炭素繊維パッド、遠赤外線照射によって処理された遠赤外線布、負酸素イオンによって処理された負酸素イオン布のいずれか一つが選択的に付着設置され、
（８）前記長形化空洞体内には前記長形化空洞体に対応する支架部材が設けられ、
（９）前記弾性テープは、縦方向締結テープ、横方向締結テープ、縦方向締結テープと横方向締結テープとの組み合わせ締結テープ、ヘッド覆い固定カバー、自動車クッション枕のいずれかひとつから選択され、
（１０）前記車載用頚椎保護具と自動車座席シート及びクッション枕との間の固定は下記の５種の固定方法のいずれか一つから選択され、
【０００８】
Ａ．縦方向固定：前記縦方向締結テープは、帯状構造の上締結テープ及び帯状構造の下締結テープからなり、前記上締結テープの一端及び前記延在された後片上端中部と、前記下締結テープの一端及び前記後片下端中部とが、それぞれ縫着接続され、前記上締結テープの他端及び下締結テープの他端は、ナイロンロックバックル、押しバックル、親子バックル、腰テープバックル、フックのいずれか一つの接続で前記上締結テープ、及び、前記下締結テープにより前記車載用頚椎保護具を自動車座席シートとクッション枕との間に固定させ、
Ｂ．横方向固定：前記横方向締結テープは、帯状構造の２つの左締結テープ及び帯状構造の２つの右締結テープからなり、前記２つの左締結テープの一端は前記後片左側の下端及び上端に、前記２つの右締結テープの一端は前記後片右側の下端及び上端にそれぞれ縫着接続され、前記左締結テープの他端及び右締結テープの他端は、ナイロンロックバックル、押しバックル、親子バックル、腰テープバックル、フックのいずれか一つの接続で前記左締結テープ、及び、右締結テープにより前記車載用頚椎保護具を自動車座席シートとクッション枕との間に固定させ、
Ｃ．縦方向と横方向との組み合わせ固定：前記縦方向締結テープと横方向締結テープとの組み合わせにより前記車載用頚椎保護具を自動車座席シートとクッション枕との間に固定させ、
Ｄ．ヘッド覆い固定：自動車クッション枕形状と合致するように袋状のヘッド覆い固定カバーに製造され、開口が下へ向けるように前記後片に縫着され、前記ヘッド覆い固定カバーを自動車クッション枕に嵌着接続させることにより前記車載用頚椎保護具を自動車座席シートとクッション枕との間に固定させ、
Ｅ．自動車クッション枕との一体的固定：対応する自動車クッション枕を製造し、前記対応する自動車クッション枕を前記車載用頚椎保護具と一体的に設けることで自動車の本来の自動車クッション枕に取って代わることにより、対応する自動車クッション枕を有する車載用頚椎保護具を自動車座席シートとクッション枕との間に固定させる、
ことを特徴とする車載用頚椎保護具を提供する。
【０００９】
また、本発明に係る車載用頚椎保護具において、前記前片、上片、後片、底片、左片、右片は、いずれも片状構造であり、前記芯体は、その断面が平行四角形に近似した柔軟柱状体構造であってもよい。
【００１０】
また、本発明に係る車載用頚椎保護具において、前記前片の左側辺及び右側辺の長さは後片の左側辺及び右側辺の長さよりも大きく、前記上片の左側辺及び右側辺の長さは、底片の左側辺及び右側辺の長さよりも大きくてもよい。
【００１１】
また、本発明に係る車載用頚椎保護具において、前記前片及び上片は一つの部材として一体的に構成可能であってもよい。
【００１２】
また、本発明に係る車載用頚椎保護具において、前記前片、上片、後片、底片によって構成された筒状空洞体は、前記芯体の柔軟柱状体に対応してもよい。
【００１３】
上述のように、本発明に係る車載用頚椎保護具によれば、「人工力学に適した生理的曲線」というキー技術を採用して、本来の実用新案に係る技術を基に、芯体及び長形化ャンバーの材料を複数選択するとともにこれらの二者を形状や寸法が合致するように科学的に確定し、芯体には頚椎に対して保健や治療の作用が働くように保健薬液が浸漬されたり、全体に香料が吹き付けられたり、竹炭素繊維パッドや遠赤外線布又は負酸素イオン布が付着され、長形化空洞体内には支架部材が設けられ、自動車上の座席シートとクッション枕との間の固定には、縦方向固定、横方向固定、縦方向と横方向との組み合わせ固定、ヘッド覆い固定、自動車クッション枕固定等、複数の方式が選択されるため、本発明は、下記の効果を有する。
【００１４】
１、「人工力学に適した生理的曲線」というキー技術を採用することにより、既存の特許の技術レベルを向上させ、本発明に係る新製品の技術が飛躍的に向上し、「車載用頚椎保護具」に係る新製品を運転者へのサービスのために運転のよいパートナーとして提供すること、
【００１５】
２、本発明に係る車載用頚椎保護具を座席シート上端とクッション枕との間に取り付けることにより、取り付け方が多様化するようになり、各種の車種に適用でき、ユーザに複数の選択肢を提供し、ユーザの様様な要求を満たしており、その取り付け使用や清潔維持がともに便利になり、ユーザには、使用、清潔、維持過程において極めて簡潔、手間がかかることなく、高効率且つ便利で、効果が顕著であること、
【００１６】
３、運転者が運転過程における運転心地がよく、頚椎が硬直し筋肉痛することなく、保健作用が顕著となり、追突に遭遇しても頚椎に対する保護作用が働き、運転者の運転に安全性、効果的な予防及び保障を提供すること、
【００１７】
４、本発明に係る芯体は、複数の材料から選択される柔軟材料から構成され、直接使用しても、保健薬液に浸漬された後に使用しても、また車両の運転者の頚椎病の有無にかかわらず使用してもよいため、頚椎病のない者に対しては保健作用が働くことで頚椎病の発病率が低減され、頚椎病のある者に対しては保健作用及び治療作用が働くことで頚椎に効果的な保護作用が働き、運転の疲れが低減され、運転が極めて楽になること、
【００１８】
５、本発明に係る芯体に保健薬液が浸漬された場合、それらの保健薬液の成分はいずれも漢方薬であり、透骨草１５ｇ、伸筋草１５ｇ、艾葉１０ｇ、紅花５ｇ、生姜片１０ｇが混合、煮込み、濾過された濾過液であり、これらの漢方薬のうち、例えば、透骨草は薬性が平で、風湿除去、活血、止痛等の効果があり、伸筋草は薬性が温で、風湿除去、舒筋活絡等の効果があり、艾葉は薬性が温で、散寒止痛、温経止血等の効果があり、紅花は薬性が温で、活血通経、散淤止痛等の効果があり、生姜片は薬性が熱で、温中散寒、回陽通脈、燥湿消痰等の効果があり、上述した漢方薬の機能の有機融合により、去風除湿、舒筋活絡、活血通経、活血、回陽通脈、散寒止痛、散淤止痛等の効果があるため、芯体をキャリアとして徐々に放出させることにより運転者に対して保健や治療作用が働くこと、
【００１９】
６、本発明に係る車載用頚椎保護具全体にローズ精油材料、ジャスミン精油香料、ラベンダー精油材料が吹き付けられることにより、運転者は香りのいい運転雰囲気において気持ちよく運転可能であること、
【００２０】
７、芯体には吸湿、異臭除去、駆虫、空気品質変換等の作用のある竹炭素繊維パッド、又は空気品質を変換可能な作用を有する遠赤外線布又は負酸素イオン布が付着設置されることにより、運転室の空気品質を改善し向上させることで、運転者が運転過程においてより快適になること、
【００２１】
８、本発明は発想が新しく、技術がリードし、研究試験及び改良を繰り返して行った結果、「車載用頚椎保護具」の形状、長さ・幅・深さ等の寸法に対して確定を行うことにより、本発明に係るデザインが科学的に合理的になり、構造が簡単且つ巧妙となり、使用がより迅速且つ便利になり、効果が安定になり、運転者になんら迷惑や負担をかけることもなく、運転者にとって優位性のあるものになること、
【００２２】
９、本発明に係る製造材料には複数の選択肢があり、どのような材料を選択しても、材料消費が減少され、製造が容易化され、手間が節約され、コストが低減される等の効果があること、
【００２３】
１０、上述のように、本発明に係る車載用頚椎保護具によれば、市場の前景が広いのみならず、運転者は車載用頚椎保護具の使用に夢中になり、車両の生産メーカに生産改良の余地を与えるため、本発明にはより広汎なプロモーション応用価値があること。
【発明の効果】
【００２４】
上述のように、本発明の下記の顕著な特徴をさらに具体的に説明する。（１）人体の健康に有利であること：本発明は使用中に人体の生理的曲線を効果的に維持するとともに頭部を支持することができるため、頭部の頚椎への圧力を低減し、また、本発明の芯体が柔軟材料からなるため、いつでも柔らかく感じられ、長時間にわたる運転に起因した頚椎硬直や筋肉痛を回避することができる。（２）快適な感じがすること：上述のように人体の生理的曲線を効果的に維持することができるため、運転の過程において疲労することはなく、快適な感じがすることができる。（３）楽しみの感じがすること：車両の運転過程において、本発明は、運転者に一休みの機会を与え、頭頸部を軽く本発明に係る車載用頚椎保護具に寄りかかると、柔らかい感じを十分に楽しむことができ、効果的なリラックスや快適な楽しみを得ることができる。（４）運転過程における安全係数を効果的に増加すること：運転過程において、他の車両からの追突が発生すると、他の車両に追突された瞬間において、本発明の柔軟特性が十分に発揮し、頚椎にかかる衝撃力を効果的に吸収することができ、車両衝突の発生による頚椎損傷を回避することができ、運転者頚椎の保護作用が働き、運転過程における安全係数を効果的に増加することができる。（５）有病治病、無病防病のこと：芯体に保険薬液が浸漬されることにより、有病治病、無病防病の有益な効果が働く。（６）取り付け使用及び清潔維持が便利になること：取り付けられた際に、本発明に係る車載用頚椎保護具を本発明に記載の複数の方法のいずれかにより自動車座席シート上端と自動車クッション枕との間に取り付けることができる。使用された際に、頚椎を本発明に係る車載用頚椎保護具に寄りかかると、柔らかい感じがする。清潔された際に、少量の清潔液を海綿又は綿布類のものに付けて清潔すればよいし、洗濯機による清潔でもよい。維持にとってはより簡単便利となり、根本的には、本発明には使用及び清潔以外、特殊な維持はなんら必要ではない。（７）自動車運転室の座席シートには車載用頚椎保護具がないことを補足することにより車載用頚椎保護具が人工力学の生理的曲線に適し、技術レベルでは飛躍的に向上し、さらなる快適化、人間化、利便化が達成され、美観に優れた高品位なものになる。
【図面の簡単な説明】
【００２５】
【図１】本発明に係る実施形態の側面方向における断面模式図を示す。図１は、本発明に係る実施形態の一つであり、即ちヘッド覆い固定の断面模式図である。この実施形態は例示のみであり、本発明はこれに限定されるものではない。図１の左上角において、後片に接続され、一部しか描かれていない、形状が袋状である物体はヘッド覆い固定カバーであり、即ちヘッド覆いにより固定されることを指す。本発明は必要に応じて縦方向固定、横方向固定、縦方向と横方向との組み合わせ固定、又は自動車クッション枕との一体的固定であってもよい。図１において長形化空洞体の内壁に密着し、且つ、長形化空洞体に対応する支架部材が設けられているが、本発明には支架部材が設けても設けられなくてもよい。
【図２】本発明がより理解できるように、本発明の対比図として従来技術に係る実用新案の前面断面図を示す。
【図３】本発明がより理解できるように、本発明の対比図として従来技術に係る実用新案の後面断面図を示す。
【図４】本発明がより理解できるように、本発明の対比図として従来技術に係る実用新案の左面拡大模式図を示す。
【図５】本発明がより理解できるように、本発明の対比図として図２のＡ−Ａ断面拡大模式図を示す。
【発明を実施するための形態】
【００２６】
（具体的な実施形態１）
図１〜図５を参照して、本発明をさらに詳しく説明する。
【００２７】
前片１と、上片２と、後片３と、底片４と、弾性テープ５と、芯体６と、左片７と、右片とを含み、その前片１の一方側辺及び上片２の一方側辺と、上片２の他方側辺及び後片３の一方側辺と、後片３の他方側辺及び底片４の一方側辺と、底片４の他方側辺及び前片１の他方側辺とが、それぞれ縫着接続され筒状空洞体に構成され、前記筒状空洞体と芯体６とが嵌着接続され、前記前片１、上片２、後片３及び底片４の左側辺が左片７に、後片３及び底片４の右側辺が右片にそれぞれ縫着接続され、前記後片３底端の左側辺及び底片４上端の左側辺が弾性テープ５の左端に、前記後片３底端の右側辺及び底片４上端の右側辺が弾性テープ５の右端にそれぞれ縫着接続される、上述した基礎の上で顕著的、重要的、新規的、有利な効果を奏する車載用頚椎保護具であって、
【００２８】
（１）前記芯体６は、ウレタンフォーム材料、低リバウンド材質の海綿材料、高リバウンド材質の海綿材料、普通海綿材料、中空綿、ポリエステル綿材料のいずれか一つから選択され、
（２）前記芯体６には頚椎に対して保健や治療の作用が働くように保健薬液が浸漬され、前記保健薬液は透骨草１５ｇ、伸筋草１５ｇ、艾葉１０ｇ、紅花５ｇ、生姜片１０ｇが混合、煮込み、濾過された濾過液であり、
（３）前記前片１、上片２、後片３、底片４、左片７、右片はいずれも真皮材料、革材料、布材料、亜麻材料のいずれか一つから選択され、前記前片１、上片２、後片３、底片４、左片７、右片はいずれもローズ精油材料、ジャスミン精油香料、ラベンダー精油材料が吹き付けられた香料のいずれか一つから選択され、
（４）前記後片３の上端及び上片２の上端はともに上へ７〜１０ｃｍ延在するとともに左片７の上端及び右片の上端はともに上へ延在し、前記前片１の下端及び底片４の下端はともに下へ１１〜１５ｃｍ延在するとともに左片７の下端及び右片の下端はともに下へ延在し、前記前片１、上片２、後片３、底片４、左片７、右片は、縫着接続され前記筒状空洞体が長形化空洞体に構成され、前記芯体６及び前記長形化空洞体は互いに合致するように対応し、
（５）前記芯体６及び前記長形化空洞体の上端はともに両側が上へ湾曲した円弧形状となっており、厚さが１．５〜２．０ｃｍであり、下端はともに両側が下へ湾曲した円弧形状となっており、厚さが２．５〜３．５ｃｍであり、
（６）前記芯体６及び前記長形化空洞体は、縦方向長さが３７〜４６ｃｍであり、横方向幅が２９〜３５ｃｍであり、その主体の厚さが９〜１２ｃｍであり、前記主体の上及び下への延在部分の厚さが薄くなるにつれて徐々に延在し、
（７）前記芯体６には１層の竹炭素繊維パッド、遠赤外線照射によって処理された遠赤外線布、負酸素イオンによって処理された負酸素イオン布のいずれか一つが選択的に付着設置され、
（８）前記長形化空洞体内には前記長形化空洞体に対応する支架部材が設けられ、
（９）前記弾性テープ５は、縦方向締結テープ、横方向締結テープ、縦方向締結テープと横方向締結テープとの組み合わせ締結テープ、ヘッド覆い固定カバー、自動車クッション枕のいずれかひとつから選択され、
（１０）前記車載用頚椎保護具と自動車座席シート及びクッション枕との間の固定は下記の５種の固定方法のいずれか一つから選択され、
【００２９】
Ａ．縦方向固定：前記縦方向締結テープは、帯状構造の上締結テープ及び帯状構造の下締結テープからなり、前記上締結テープの一端及び前記延在された後片３上端中部と、前記下締結テープの一端及び前記後片３下端中部とが、それぞれ縫着接続され、前記上締結テープの他端及び下締結テープの他端は、ナイロンロックバックル、押しバックル、親子バックル、腰テープバックル、フックのいずれか一つの接続で前記上締結テープ、及び、前記下締結テープにより前記車載用頚椎保護具を自動車座席シートとクッション枕との間に固定させ、
Ｂ．横方向固定：前記横方向締結テープは、帯状構造の２つの左締結テープ及び帯状構造の２つの右締結テープからなり、前記２つの左締結テープの一端は前記後片３左側の下端及び上端に、前記２つの右締結テープの一端は前記後片３右側の下端及び上端にそれぞれ縫着接続され、前記左締結テープの他端及び右締結テープの他端は、ナイロンロックバックル、押しバックル、親子バックル、腰テープバックル、フックのいずれか一つの接続で前記左締結テープ、及び、右締結テープにより前記車載用頚椎保護具を自動車座席シートとクッション枕との間に固定させ、
Ｃ．縦方向と横方向との組み合わせ固定：前記縦方向締結テープと横方向締結テープとの組み合わせにより前記車載用頚椎保護具を自動車座席シートとクッション枕との間に固定させ、
Ｄ．ヘッド覆い固定：自動車クッション枕形状と合致するように袋状のヘッド覆い固定カバーに製造され、開口が下へ向けるように前記後片３に縫着され、前記ヘッド覆い固定カバーを自動車クッション枕に嵌着接続させることにより前記車載用頚椎保護具を自動車座席シートとクッション枕との間に固定させ、
Ｅ．自動車クッション枕との一体的固定：対応する自動車クッション枕を製造し、前記対応する自動車クッション枕を前記車載用頚椎保護具と一体的に設けることで自動車の本来の自動車クッション枕に取って代わることにより、対応する自動車クッション枕を有する車載用頚椎保護具を自動車座席シートとクッション枕との間に固定させる、
ことを特徴とする車載用頚椎保護具を提供する。
【００３０】
上述した車載用頚椎保護具において、前記前片１、上片２、後片３、底片４、左片７、右片は、いずれも片状構造であり、前記芯体６は、その断面が平行四角形に近似した柔軟柱状体構造であってもよい。
【００３１】
上述した車載用頚椎保護具において、前記前片１の左側辺及び右側辺の長さは後片３の左側辺及び右側辺の長さよりも大きく、前記上片２の左側辺及び右側辺の長さは、底片４の左側辺及び右側辺の長さよりも大きくてもよい。
【００３２】
上述した車載用頚椎保護具において、前記前片１及び上片２は一つの部材として一体的に構成可能であってもよい。
【００３３】
上述した車載用頚椎保護具において、前記前片１、上片２、後片３、底片４によって構成された筒状空洞体は、前記芯体６の柔軟柱状体に対応してもよい。
【００３４】
上述した具体的な実施例において、前記前片１及び上片２についてそれぞれ単独で実施したり、その両者を一体に設けて実施すること、前記芯体６に対してウレタンフォーム材料、低リバウンド材質の海綿材料、高リバウンド材質の海綿材料、普通海綿材料、中空綿、ポリエステル綿材料の採用をそれぞれ単独で実施すること、前記芯体６について保健薬液の浸漬の有無を実施すること、前記前片１、上片２、後片３、底片４、左片７、右片に対して真皮材料、革材料、布材料、亜麻材料の採用をそれぞれ単独で実施すること、前記前片１、上片２、後片３、底片４、左片７、右片についてローズ精油材料、ジャスミン精油香料、ラベンダー精油材料が吹き付けられた香料の採用をそれぞれ単独で実施すること、前記後片３の上端及び上片２の上端について上へ７、８、９、１０ｃｍの延在、且つ左片７の上端及び右片の上端について上への延在をそれぞれ単独で実施すること、前記前片１の下端及び底片４の下端について下へ１１、１２、１３、１４、１５ｃｍの延在、且つ左片７の下端及び右片の下端について下への延在をそれぞれ単独で実施すること、前記芯体６及び前記長形化空洞体について上端はともに両側が上へ湾曲した円弧形状となっており、厚さが１．５、１．６、１．７、１．８、１．９、２．０ｃｍであり、下端はともに両側が下へ湾曲した円弧形状となっており、厚さが２．５、２．６、２．７、２．８、２．９、３．０、３．１、３．２、３．３、３．４、３．５ｃｍであることをそれぞれ単独で実施すること、前記芯体６及び前記長形化空洞体について縦方向長さが３７、３８、３９、４０、４１、４２、４３、４４、４５、４６ｃｍであり、横方向幅が２９、３０、３１、３２、３３、３４、３５ｃｍであり、その主体の厚さが９、１０、１１、１２ｃｍであることをそれぞれ単独で実施すること、前記芯体６について１層の竹炭素繊維パッド、遠赤外線照射によって処理された遠赤外線布、負酸素イオンによって処理された負酸素イオン布の付着設置を実施すること、前記長形化空洞体内について支架部材の設置の有無を実施すること、前記弾性テープ５について縦方向締結テープ、横方向締結テープ、縦方向締結テープと横方向締結テープとの組み合わせ締結テープ、ヘッド覆い固定カバー、自動車クッション枕の入れ替えを実施すること、前記車載用頚椎保護具と自動車座席シート及びクッション枕との間の固定について縦方向固定、横方向固定、縦方向と横方向との組み合わせ固定、ヘッド覆い固定、自動車クッション枕との一体的固定の採用をそれぞれ単独で実施することは、いずれも予期した良好な効果を奏した。
【００３５】
（具体的な実施形態２）
具体的な実施形態１に基づいて実施した。ただし、前記芯体６に保健薬液が浸漬されることを実施し、予期した良好な効果を奏した。
【００３６】
（具体的な実施形態３）
具体的な実施形態１に基づいて実施した。ただし、前記芯体６に保健薬液が浸漬されないことを実施し、同様に予期した良好な効果を奏した。
【００３７】
（具体的な実施形態４）
具体的な実施形態１に基づいて実施した。ただし、前記長形化空洞体内に前記長形化空洞体に対応する支架部材が設けられることを実施し、予期した良好な効果を奏した。
【００３８】
（具体的な実施形態５）
具体的な実施形態１に基づいて実施した。ただし、前記長形化空洞体内に前記長形化空洞体に対応する支架部材が設けられないことを実施し、同様に予期した良好な効果を奏した。
【００３９】
（具体的な実施形態６）
具体的な実施形態１に基づいて実施した。ただし、前記車載用頚椎保護具と自動車座席シート及び自動車クッション枕との間の固定を縦方向固定で実施し、予期した良好な効果を奏した。
【００４０】
（具体的な実施形態７）
具体的な実施形態１に基づいて実施した。ただし、前記車載用頚椎保護具と自動車座席シート及び自動車クッション枕との間の固定を横方向固定で実施し、同様に予期した良好な効果を奏した。
【００４１】
（具体的な実施形態８）
具体的な実施形態１に基づいて実施した。ただし、前記車載用頚椎保護具と自動車座席シート及び自動車クッション枕との間の固定を縦方向と横方向との組み合わせ固定で実施し、同様に予期した良好な効果を奏した。
【００４２】
（具体的な実施形態９）
具体的な実施形態１に基づいて実施した。ただし、前記車載用頚椎保護具と自動車座席シート及び自動車クッション枕との間の固定をヘッド覆い固定で実施し、同様に予期した良好な効果を奏した。
【００４３】
（具体的な実施形態１０）
具体的な実施形態１に基づいて実施した。ただし、前記車載用頚椎保護具と自動車座席シート及び自動車クッション枕との間の固定を自動車クッション枕との一体的固定で実施し、同様に予期した良好な効果を奏した。
【００４４】
（具体的な実施形態１１）
具体的な実施形態１に基づいて実施した。ただし、前記前片１及び上片２が一つの部材として一体的に構成されることを実施し、同様に予期した良好な効果を奏した。
【００４５】
本発明に係る車載用頚椎保護具を、実施形態１〜１１の具体的な実施により数人の運転者に試用してもらうように試用調査し、特に前記芯体６に保健や治療作用が働くように保健薬液が浸漬されることを試用調査した。例えば、
１．李さん、男、２２歳に対して北京で本発明に係る車載用頚椎保護具の試用調査を行った結果、反響が良好であった。
２．王さん、女、２０歳に対して北京で本発明に係る車載用頚椎保護具の試用調査を行った結果、満足度が十分高かった。
３．趙さん、男、５８歳に対して北京で本発明に係る車載用頚椎保護具の試用調査を行った結果、反響が良好で、早くプロモーション推進してほしいということであった。
４．張さん、女、４９歳に対して北京で本発明に係る車載用頚椎保護具の試用調査を行った結果、満足度が十分で、友達にも試用してほしいということであった。
５．蘇さん、男、２５歳に対して福州で本発明に係る車載用頚椎保護具の試用調査を行った結果、満足度が十分で、自動車製造メーカに生産するように薦めてほしいということであった。
６．田さん、女、２６歳に対して成都で本発明に係る車載用頚椎保護具の試用調査を行った結果、購買したいということであった。
７．劉さん、男、５５歳に対して武漢で本発明に係る車載用頚椎保護具の試用調査を行った結果、いままで最高な製品であるということであった。
８．梁さん、女、５０歳に対して長沙で本発明に係る車載用頚椎保護具の試用調査を行った結果、反響が良好であった。
９．孫さん、男、４２歳に対して上海で本発明に係る車載用頚椎保護具の試用調査を行った結果、よい製品で、使い心地がよく、早く生産してほしいということであった。
１０．司さん、男、２０歳に対して哈爾濱で本発明に係る車載用頚椎保護具の試用調査を行った結果、反響が良好で、満足度が十分高かった。
１１．陸さん、女、２０歳に対して長春で本発明に係る車載用頚椎保護具の試用調査を行った結果、満足度が十分高かった。
１２．李さん、男、６２歳に対して丹東で本発明に係る車載用頚椎保護具の試用調査を行った結果、反響が良好で、外国にも発展していくべきということであった。
１３．楊さん、男、４５歳に対して呼和浩特で本発明に係る車載用頚椎保護具の試用調査を行った結果、反響が良好で、できるだけ早く特許出願してほしいということであった。
１４．賈さん、男、４０歳に対して拉薩で本発明に係る車載用頚椎保護具の試用調査を行った結果、満足度が十分で、早く生産してほしいということであった。
１５．杜さん、男、４２歳に対して烏魯木齊で本発明に係る車載用頚椎保護具の試用調査を行った結果、満足度が十分高かった。
１６．段さん、女、３２歳に対して天津で本発明に係る車載用頚椎保護具の試用調査を行った結果、満足度が十分で、反響が良好であった。
１７．常さん、女、３８歳に対して太原で本発明に係る車載用頚椎保護具の試用調査を行った結果、満足度が十分で、反響が良好で、自動車生産メーカと提携して生産してほしいということであった。
１８．馬さん、女、４６歳に対して西安で本発明に係る車載用頚椎保護具の試用調査を行った結果、満足度が十分で、早く生産してほしいということであった。
１９．長さん、男、２８歳に対して石家莊で本発明に係る車載用頚椎保護具の試用調査を行った結果、満足度が十分で、極めてよい製品であるということであった。
【００４６】
上述した例が極めて多いため、ここで全部列挙することを省略する。
【００４７】
試用調査を行った結果の説明によれば、芯体６に対して保健薬液が浸漬されても浸漬されなくても、本発明は、地域、年齢、性別に制限されず、予期した良好な効果を奏した。
【００４８】
上述したものは、本発明の好ましい実施例に過ぎず、本発明の実施の範囲を限定するためのものではなく、本発明の明細書及び図面内容に基づいてなされた均等な変更および付加は、いずれも本発明の登録請求の範囲内に含まれるものとする。
【００４９】
以上のように、本発明では、前片と、上片と、後片と、底片と、弾性テープと、芯体と、左片と、右片とを含み、その前片の一方側辺及び上片の一方側辺と、上片の他方側辺及び後片の一方側辺と、後片の他方側辺及び底片の一方側辺と、底片の他方側辺及び前片の他方側辺とが、それぞれ縫着接続され筒状空洞体に構成され、前記筒状空洞体と芯体とが嵌着接続され、前記前片、上片、後片及び底片の左側辺が左片に、後片及び底片の右側辺が右片にそれぞれ縫着接続され、前記後片底端の左側辺及び底片上端の左側辺が弾性テープの左端に、前記後片底端の右側辺及び底片上端の右側辺が弾性テープの右端にそれぞれ縫着接続される車載用頚椎保護具であって、
【００５０】
（１）前記芯体は、ウレタンフォーム材料、低リバウンド材質の海綿材料、高リバウンド材質の海綿材料、普通海綿材料、中空綿、ポリエステル綿材料のいずれか一つから選択され、
（２）前記芯体には頚椎に対して保健や治療の作用が働くように保健薬液が浸漬され、前記保健薬液は透骨草１５ｇ、伸筋草１５ｇ、艾葉１０ｇ、紅花５ｇ、生姜片１０ｇが混合、煮込み、濾過された濾過液であり、
（３）前記前片、上片、後片、底片、左片、右片はいずれも真皮材料、革材料、布材料、亜麻材料のいずれか一つから選択され、前記前片、上片、後片、底片、左片、右片はいずれもローズ精油材料、ジャスミン精油香料、ラベンダー精油材料が吹き付けられた香料のいずれか一つから選択され、
（４）前記後片の上端及び上片の上端はともに上へ７〜１０ｃｍ延在するとともに左片の上端及び右片の上端はともに上へ延在し、前記前片の下端及び底片の下端はともに下へ１１〜１５ｃｍ延在するとともに左片の下端及び右片の下端はともに下へ延在し、前記前片、上片、後片、底片、左片、右片は、縫着接続され前記筒状空洞体が長形化空洞体に構成され、前記芯体及び前記長形化空洞体は互いに合致するように対応し、
（５）前記芯体及び前記長形化空洞体の上端はともに両側が上へ湾曲した円弧形状となっており、厚さが１．５〜２．０ｃｍであり、下端はともに両側が下へ湾曲した円弧形状となっており、厚さが２．５〜３．５ｃｍであり、
（６）前記芯体及び前記長形化空洞体は、縦方向長さが３７〜４６ｃｍであり、横方向幅が２９〜３５ｃｍであり、その主体の厚さが９〜１２ｃｍであり、前記主体の上及び下への延在部分の厚さが薄くなるにつれて徐々に延在し、
（７）前記芯体には１層の竹炭素繊維パッド、遠赤外線照射によって処理された遠赤外線布、負酸素イオンによって処理された負酸素イオン布のいずれか一つが選択的に付着設置され、
（８）前記長形化空洞体内には前記長形化空洞体に対応する支架部材が設けられ、
（９）前記弾性テープは、縦方向締結テープ、横方向締結テープ、縦方向締結テープと横方向締結テープとの組み合わせ締結テープ、ヘッド覆い固定カバー、自動車クッション枕のいずれかひとつから選択され、
（１０）前記車載用頚椎保護具と自動車座席シート及びクッション枕との間の固定は下記の５種の固定方法のいずれか一つから選択され、
【００５１】
Ａ、縦方向固定：前記縦方向締結テープは、帯状構造の上締結テープ及び帯状構造の下締結テープからなり、前記上締結テープの一端及び前記延在された後片上端中部と、前記下締結テープの一端及び前記後片下端中部とが、それぞれ縫着接続され、前記上締結テープの他端及び下締結テープの他端は、ナイロンロックバックル、押しバックル、親子バックル、腰テープバックル、フックのいずれか一つの接続で前記上締結テープ、及び、前記下締結テープにより前記車載用頚椎保護具を自動車座席シートとクッション枕との間に固定させ、
Ｂ、横方向固定：前記横方向締結テープは、帯状構造の２つの左締結テープ及び帯状構造の２つの右締結テープからなり、前記２つの左締結テープの一端は前記後片左側の下端及び上端に、前記２つの右締結テープの一端は前記後片（３）右側の下端及び上端にそれぞれ縫着接続され、前記左締結テープの他端及び右締結テープの他端は、ナイロンロックバックル、押しバックル、親子バックル、腰テープバックル、フックのいずれか一つの接続で前記左締結テープ、及び、右締結テープにより前記車載用頚椎保護具を自動車座席シートとクッション枕との間に固定させ、
Ｃ、縦方向と横方向との組み合わせ固定：前記縦方向締結テープと横方向締結テープとの組み合わせにより前記車載用頚椎保護具を自動車座席シートとクッション枕との間に固定させ、
Ｄ、ヘッド覆い固定：自動車クッション枕形状と合致するように袋状のヘッド覆い固定カバーに製造され、開口が下へ向けるように前記後片に縫着され、前記ヘッド覆い固定カバーを自動車クッション枕に嵌着接続させることにより前記車載用頚椎保護具を自動車座席シートとクッション枕との間に固定させ、
Ｅ、自動車クッション枕との一体的固定：対応する自動車クッション枕を製造し、前記対応する自動車クッション枕を前記車載用頚椎保護具と一体的に設けることで自動車の本来の自動車クッション枕に取って代わることにより、対応する自動車クッション枕を有する車載用頚椎保護具を自動車座席シートとクッション枕との間に固定させることを特徴とする車載用頚椎保護具とするものである。
【００５２】
また、前記前片、上片、後片、底片、左片、右片は、いずれも片状構造であり、前記芯体（６）は、その断面が平行四角形に近似した柔軟柱状体構造であるものとする。
【００５３】
また、前記前片の左側辺及び右側辺の長さは後片の左側辺及び右側辺の長さよりも大きく、前記上片の左側辺及び右側辺の長さは、底片の左側辺及び右側辺の長さよりも大きいものとする。
【００５４】
また、前記前片及び上片は一つの部材として一体的に構成可能であるものとする。
【００５５】
また、前記前片、上片、後片、底片によって構成された筒状空洞体は、前記芯体の柔軟柱状体に対応するものとする。
【００５６】
なお、「（８）前記長形化空洞体内には前記長形化空洞体に対応する支架部材が設けられ、」についての「支架部材」は、長形化空洞体内の形状に合わせるように作られるものであって、例えば、プラスチックや金属を材料として、長形化空洞体の形状を保持するためのフレームとして機能すべく構成される。
【産業上の利用可能性】
【００５７】
本発明に係る車載用頚椎保護具によれば、下記の目的を達成することができる。即ち、（１）「人工力学に適した生理的曲線」というキー技術を採用することにより、既存の特許の技術レベルを向上させ、「車載用頚椎保護具」に係る新製品を運転者へのサービスのために運転のよいパートナーとして提供すること、（２）本発明に係る車載用頚椎保護具を座席シート上端とクッション枕との間に取り付けることにより、取り付け方が多様化するようになり、各種の車種に適用でき、取り付け使用や清潔維持がともに便利になること、（３）運転者が運転過程における運転心地がよく、頚椎が硬直し筋肉痛することなく、保健作用が顕著となり、追突に遭遇しても頚椎に対する保護作用が働くこと、（４）全体に香料が吹き付けられることにより運転者が香りのいい運転雰囲気において心身ともにリラックスすること、（５）芯体に保健薬液が浸漬されることにより頚椎に対して保健や治療の作用が働くこと、（６）芯体に竹炭素繊維パッド（竹炭素繊維パッドには吸湿、異臭除去、駆虫、空気品質変換等の作用がある）や遠赤外線布又は負酸素イオン布（これらの二者はともに空気品質を変換可能な作用を有する）が付着設置されることにより、運転室の空気品質を改善し向上させることで、運転者が運転過程においてより快適になること、（７）研究試験を繰り返して行った結果、「車載用頚椎保護具」の形状、長さ・幅・深さ等の寸法に対して確定を行うことにより、デザインが科学的に合理的になり、構造が簡単且つ巧妙となり、使用がより迅速且つ便利になり、効果が安定になること、（８）製造材料の選択肢が多く、材料消費が減少され、製造が容易化され、手間が節約され、コストが低減されること、（９）プロモーション応用の推進に有利になること。
【符号の説明】
【００５８】
１  前片
２  上片
３  後片
４  底片
５  締結テープ
６  芯体
７  左片
【図１】
0005837813.tif 000002
【図２】
0005837813.tif 000003
【図３】
0005837813.tif 000004
【図４】
0005837813.tif 000005
【図５】
0005837813.tif 000006